(57)【要約】【課題】  緩衝器の作動距離を調節できるようにすることにより、緩衝器の制動作用を移動体の重さや大きさに応じて調節することのできる緩衝器取付具を提供する。【解決手段】  相対的に移動可能な取付部材１１とスライド部材２１とで構成し、取付部材１１に係止突起１６を有する弾性片１５を設け、スライド部材２１に、係止突起１６が係合するラチェット状歯部２６を設ける。【選択図】    図１
2006090491.tif 000002
【特許請求の範囲】
【請求項１】
緩衝器を任意の部材に取り付ける緩衝器取付具であって、
前記緩衝器と前記緩衝器取付具との相対的位置を調節可能にした、
ことを特徴とする緩衝器取付具。
【請求項２】
請求項１に記載の緩衝器取付具において、
前記相対的位置は前記緩衝器の軸方向位置である、
ことを特徴とする緩衝器取付具。
【請求項３】
請求項１または請求項２に記載の緩衝器取付具において、
相対的に移動可能な２部材で構成し、一方の部材に係止突起を有する弾性片を設け、他方の部材に、前記係止突起が係合する鋸歯状部を設けた、
ことを特徴とする緩衝器取付具。
【請求項４】
請求項１または請求項２に記載の緩衝器取付具において、
相対的に移動可能な２部材で構成し、一方の部材に係止突起を有する弾性片を設け、他方の部材に、前記係止突起が係合するラチェット状歯部を設けた、
ことを特徴とする緩衝器取付具。
【発明の詳細な説明】
【技術分野】
【０００１】
この発明は、例えば、回動する扉（移動体）が閉まるときの回動速度（移動速度）を制動して扉が吊り戸棚本体（任意の部材）に衝突する衝突音を小さくしたり、衝突音を出させないようにするダンパー本体（緩衝器）を、吊り戸棚本体に取り付けるための緩衝器取付具に関するものである。
【背景技術】
【０００２】
従来のダンパーは、例えば、特許文献１に開示されているように、ダンパー本体と、このダンパー本体を任意の部材に取り付けるための取付片（取付手段）とが相対的位置を調節できるように別体とされておらず、ダンパー本体のハウジングに取付片が一体的に設けられていた。
【特許文献１】特許第２５４１８９５号明細書
【発明の開示】
【発明が解決しようとする課題】
【０００３】
従来のダンパーは、取付片がハウジングに一体的に設けられ、作動距離が一定しているため、移動体の重さや大きさにより、制動作用に差が生じていた。
したがって、移動体の重さや大きさを考慮してダンパーの取付位置を決めなければならなかった。
また、ダンパーの取付部位（部分）により、ハウジングを設計、製造しなければならなかった。
【０００４】
この発明は、上記したような不都合を解消するためになされたもので、緩衝器の作動距離を調節できるようにすることにより、緩衝器の制動作用を移動体の重さや大きさに応じて調節することのできる緩衝器取付具を提供するものである。
【課題を解決するための手段】
【０００５】
この発明は、以下のような発明である。
（１）緩衝器を任意の部材に取り付ける緩衝器取付具であって、前記緩衝器と前記緩衝器取付具との相対的位置を調節可能にしたことを特徴とする。
（２）（１）に記載の緩衝器取付具において、前記相対的位置は前記緩衝器の軸方向位置であることを特徴とする。
（３）（１）または（２）に記載の緩衝器取付具において、相対的に移動可能な２部材で構成し、一方の部材に係止突起を有する弾性片を設け、他方の部材に、前記係止突起が係合する鋸歯状部を設けたことを特徴とする。
（４）（１）または（２）に記載の緩衝器取付具において、相対的に移動可能な２部材で構成し、一方の部材に係止突起を有する弾性片を設け、他方の部材に、前記係止突起が係合するラチェット状歯部を設けたことを特徴とする。
【発明の効果】
【０００６】
この発明によれば、緩衝器と緩衝器取付具との相対的位置を調節可能にしたので、そして、相対的位置を緩衝器の軸方向位置としたので、緩衝器の作動距離を調節することにより、緩衝器の制動作用を移動体の重さや大きさ応じて調節することができる。
さらに、相対的に移動可能な２部材で構成し、一方の部材に係止突起を有する弾性片を設け、他方の部材に、係止突起が係合する鋸歯状部を設けたので、一方の部材に対して他方の部材を相対的に移動させ、係止突起と鋸歯状部との係合位置を調節することにより、緩衝器の作動距離を容易に変更することができる。
または、相対的に移動可能な２部材で構成し、一方の部材に係止突起を有する弾性片を設け、他方の部材に、係止突起が係合するラチェット状歯部を設けたので、移動体が緩衝器に作用しても、作動距離が変化しなくなることにより、緩衝器の所期の作動距離、および、所期の制動作用を維持させることができる。
【発明を実施するための最良の形態】
【０００７】
以下、この発明の実施例を図に基づいて説明する。
【０００８】
図１はこの発明の一実施例である緩衝器取付具の一部を破断した分解斜視図、図２は図１に示したスライド部材に設けられている緩衝器係止突起部分を示すためにスライド部材を破断した部分拡大斜視図である。
なお、図１に示した取付部材および取付ねじは、上下を反転させた状態とされている。
【０００９】
これらの図において、Ａは緩衝器取付具を示し、合成樹脂製の一方の部材としての取付部材１１と、合成樹脂製の他方の部材としてのスライド部材２１とで構成されている。
なお、スライド部材２１は、ダンパー本体３１を抱持する部分である。
【００１０】
上記した取付部材１１は、スライド部材２１の軸方向（長さ方向、前後方向）が長い平面視長方形をした板状の間隔保持突条部１２と、この間隔保持突条部１２が上面の中央にスライド部材２１の前後方向へ前端から後端まで一体的に設けられ、前後方向と直交する左右方向（幅方向）の長さ（幅）が間隔保持突条部１２の幅よりも広い平面視長方形のガイド部１３とで構成されている。
なお、ガイド部１３は、間隔保持突条部１２の左右に突出している。
そして、間隔保持突条部１２には、ガイド部１３に達する肉抜き凹部１４（図４参照）が設けられている。
また、ガイド部１３の肉抜き凹部１４の部分には、先端が自由端とされている弾性片１５と、この弾性片１５の先端に設けられ、下側へ突出する係止突起１６とが一体的に設けられている。
さらに、間隔保持突条部１２とガイド部１３とには、肉抜き凹部１４を挟む前後に、取付孔１７は設けられている。
１９は取付部材１１を取り付ける取付ねじを示す。
【００１１】
上記したスライド部材２１は、ダンパー本体３１を抱持する、一端（後端）が閉塞された円筒状の緩衝器抱持有底筒状部２２と、この緩衝器抱持有底筒状部２２の外周に軸方向へ一体的に設けられ、取付部材１１のガイド部１３を相対的に移動可能に保持する保持部２５と、緩衝器抱持有底筒状部２２の外面に軸方向へ一体的に設けられ、保持部２５がガイド部１３を保持した状態で取付部材１１の係止突起１６が係合するラチェット状歯部２６とで構成されている。
そして、緩衝器抱持有底筒状部２２には、先端（後端）が自由端とされている弾性片２３と、この弾性片２３の先端に設けられ、緩衝器抱持有底筒状部２２内へ突出する緩衝器係止突起２４とが一体的に設けられている。
なお、保持部２５は、取付部材１１のガイド部１３の幅で対向する起立片２５ｖと、この各起立片２５ｖの上端に連設されて間隔保持突条部１２の間隔で対向し、間隔保持突条部１２の厚さよりも僅かに薄い厚さの水平片２５ｈとで構成されている。
また、ラチェット状歯部２６は、取付部材１１に対してスライド部材２１が後方から前方へ移動可能に、すなわち、前方から後方へ移動できないように設けられている。
【００１２】
上記した緩衝器としてのダンパー本体３１は、スライド部材２１を構成する緩衝器抱持有底筒状部２２内へ挿入される円筒状のハウジング（シリンダ）３２と、このハウジング３２内に収容され、ハウジング３２の軸方向へ移動するピストンと、このピストンに連結され、ハウジング３２の一端からハウジング３２の軸方向へ突出するロッド３５と、このロッド３５をハウジング３２から突出させるようにピストンを付勢する付勢部材、例えば、コイルスプリングと、ハウジング３２内に収容された粘性流体、例えば、シリコーンオイルとで構成されている。
そして、ハウジング３２の外周には、軸方向へ所定長の周回溝３３を設けることにより、スライド部材２１の緩衝器係止突起２４が係合する周回した係合段部３４が設けられている。
なお、ピストンには、オリフィスが設けられている。
【００１３】
図３はこの発明の一実施例である緩衝器取付具を用いてダンパー本体を吊り戸棚に取り付けた状態の斜視図、図４は図３に示したダンパー本体の取付状態における緩衝器取付具を断面とした説明図である。
【００１４】
これらの図において、Ｃは吊り戸棚を示し、吊り戸棚本体（任意の部材）Ｂと、この吊り戸棚本体Ｂの前面に左端または右端の上下を、例えば、ヒンジ部材Ｈで回動可能に取り付けられた扉Ｄとで構成されている。
なお、ヒンジ部材Ｈは、扉Ｄが吊り戸棚本体Ｂを閉塞した状態と、例えば、扉Ｄが吊り戸棚本体Ｂに対して直角に開放した状態との２位置で、その状態を所定のトルクで維持するように構成されている。
そして、緩衝器取付具Ａは、吊り戸棚本体Ｂを構成する天板ｕの下面（内側面）に取り付けられている。
【００１５】
次に、ダンパー本体３１のスライド部材２１への取付について説明する。
まず、図４に示すように、スライド部材２１の緩衝器抱持有底筒状部２２内へロッド３５側からダンパー本体３１を挿入すると、ハウジング３２が緩衝器係止突起２４に衝合して弾性片２３を撓ませることにより、ダンパー本体３１を緩衝器抱持有底筒状部２２内へ挿入することができる。
そして、ダンパー本体３１を緩衝器抱持有底筒状部２２内へ所定長挿入し、僅かにロッド３５をハウジング３２内へ押し込むと、緩衝器係止突起２４が周回溝３３と対向することにより、弾性片２３が自身の弾性で元の状態へ復帰するので、ダンパー本体３１の押し込み力を解除すると、ロッド３５がスプリングの付勢力によって緩衝器抱持有底筒状部２２の底を押すことにより、緩衝器係止突起２４が係合段部３４に係合し、ダンパー本体３１が緩衝器抱持有底筒状部２２から抜けでなくなり、ダンパー本体３１のスライド部材２１への取付が完了する。
なお、ダンパー本体３１をスライド部材２１から取り出す場合は、緩衝器抱持有底筒状部２２から突出してハウジング３２を摘んで引き抜けば、ダンパー本体３１をスライド部材２１から取り出すことができる。
【００１６】
次に、緩衝器取付具Ａを用いてダンパー本体３１を吊り戸棚Ｃへ取り付ける一例について説明する。
まず、図３および図４に示すように、吊り戸棚本体Ｂの天板ｕの下面に、間隔保持突条部１２を上側にするとともに、係止突起１６を前側にして取付部材１１が前後方向へ向くように取付ねじ１９で取付部材１１を取り付ける。
そして、ダンパー本体３１を取り付けたスライド部材２１を、取付部材１１の後側に位置させた後、保持部２５にガイド部１３を保持させながら、図４に示すように、スライド部材２１を取付部材１１の前方の所定位置へ移動させる。
このようにスライド部材２１を取付部材１１の前方へ移動させると、係止突起１６が弾性片１５の弾性によってラチェット状歯部２６に係脱することにより、スライド部材２１を取付部材１１の前方へ移動させることができ、吊り戸棚本体Ｂにダンパー本体３１を取り付けることができる。
【００１７】
なお、スライド部材２１の吊り戸棚本体Ｂへの取付位置の調節、すなわち、ダンパー本体３１の吊り戸棚本体Ｂへの取付位置の前方への調節は、スライド部材２１を取付部材１１の前方へラチェット状歯部２６の１歯ずつ移動させることによって行うことができる。
また、ダンパー本体３１の吊り戸棚本体Ｂへの取付位置の後方への調節は、スライド部材２１を取付部材１１に対して前方へ移動させて一旦取り外した後、前述した手順で再度スライド部材２１を取付部材１１へ取り付けることによって行うことができる。
【００１８】
図５および図６はこの発明の一実施例である緩衝器取付具を用いて取り付けたダンパー本体の動作説明図である。
【００１９】
次に、動作について説明する。
まず、図５に示すように、開放させた状態の扉Ｄを閉じる方向へ回動させると、吊り戸棚本体Ｂから突出しているハウジング３２に扉Ｄが衝合することにより、扉Ｄはダンパー本体３１を緩衝器抱持有底筒状部２２内へ押し込みながら閉まる回動（移動）速度がダンパー本体３１によって制動される。
そして、図６に示すように、扉Ｄは吊り戸棚本体Ｂの前面に当接し、吊り戸棚本体Ｂの前面を覆い隠す。
【００２０】
このようにして扉Ｄが回動するとき、扉Ｄが閉まるときの回動速度はダンパー本体３１によって制動されるので、扉Ｄが吊り戸棚本体Ｂに衝突する衝突音が小さく、または、衝突音を出させなくすることができる。
そして、スライド部材２１が後退しないように、ラチェット状歯部２６に係止突起１６が係合しているので、扉Ｄがダンパー本体３１に衝合してもスライド部材２１は後退しなくなる。
なお、図６の状態から図５の状態へ扉Ｄを開放させると、ロッド３５がスプリングの付勢力によって緩衝器抱持有底筒状部２２の底を押すので、ダンパー本体３１は図５の状態へ復帰する。
【００２１】
上述したように、この発明の一実施例によれば、ダンパー本体３１を緩衝器抱持有底筒状部２２に抱持させたので、ダンパー本体３１のみを交換することができる。
また、ダンパー本体３１と緩衝器取付具Ａとの相対的位置、すなわち、ダンパー本体３１の軸方向位置を調節可能にしたので、ダンパー本体３１の作動距離を調節することにより、ダンパー本体３１の制動作用を扉Ｄの重さや大きさ応じて調節することができる。
したがって、扉Ｄの重さや大きさ応じた制動作用に、ダンパー本体３１の位置を設定することができる。
そして、緩衝器取付具Ａを相対的に移動可能な取付部材１１とスライド部材２１とで構成し、取付部材１１に係止突起１６を有する弾性片１５を設け、スライド部材２１にラチェット状歯部２６を設けたので、扉Ｄがダンパー本体３１に作用しても、作動距離が変化しなくなることにより、ダンパー本体３１の所期の作動距離、および、所期の制動作用を維持させることができる。
【００２２】
図７はこの発明の他の実施例である緩衝器取付具のスライド部材に設けられている緩衝器係止突起部分を示すためにスライダ部材を破断した部分拡大斜視図であり、図１〜図６と同一または相当部分に同一符号を付し、その説明を省略する。
【００２３】
図７において、２４Ａは緩衝器抱持有底筒状部２２の内周に一体的に設けられた緩衝器係止突起を示し、ダンパー本体のハウジングに設けられている係合段部に係合することにより、緩衝器抱持有底筒状部２２からダンパー本体を抜け出さないようにするものである。
なお、この実施例における他の部分は、先の実施例と同様に構成されている。
【００２４】
この実施例においても、先の実施例と同様な効果を得ることができる。
そして、緩衝器係止突起２４Ａは緩衝器抱持有底筒状部２２の内側に設けられ、溝やスリットなどが外側にないので、外観が見栄えのするものとなる。
【００２５】
上記した実施例では、取付部材１１に係止突起１６を有する弾性片１５を設け、スライド部材２１にラチェット状歯部２６を設けた例を示したが、相対的に移動可能な２部材の一方の部材に係止突起を有する弾性片を設け、相対的に移動可能な２部材の他方の部材に、係止突起が係合する鋸歯状部を設けても、同様に機能させることができる。
なお、係止突起を鋸歯状部に係合させた場合は、一方の部材に対して他方の部材を双方向（前後方向）へ移動させることができるので、係止突起と鋸歯状部との係合位置を調節することにより、緩衝器の作動距離を容易に変更することができる。
また、一方の部材に設ける係止突起を有する弾性片と、他方の部材に設ける鋸歯状部またはラチェット状歯部とを入れ替えても、同様に動作、機能させることができる。
そして、相対的位置をダンパー本体３１の軸方向（前後方向）位置とした例を示したが、相対的位置は、ダンパー本体３１の軸と直交する方向（左右方向）位置でも、ダンパー本体３１の軸と交差する斜め方向位置でも、ダンパー本体３１の作動距離が調節できれば、どの方向位置でもよい。
また、任意の部材を吊り戸棚本体Ｂとし、移動体を扉Ｄとした例を示したが、任意の部材を他の部材とし、この部材に対して移動体が直線的に接近したり、遠ざかるものにも適用することができる。
さらに、緩衝器をダンパー本体３１とした例を示したが、同様に機能する他の緩衝器、例えば、ショックアブソーバーなどであってもよい。
【図面の簡単な説明】
【００２６】
【図１】この発明の一実施例である緩衝器取付具の一部を破断した分解斜視図である。
【図２】図１に示したスライド部材に設けられている緩衝器係止突起部分を示すためにスライド部材を破断した部分拡大斜視図である。
【図３】この発明の一実施例である緩衝器取付具を用いてダンパー本体を吊り戸棚に取り付けた状態の斜視図である。
【図４】図３に示したダンパー本体の取付状態における緩衝器取付具を断面とした説明図である。
【図５】この発明の一実施例である緩衝器取付具を用いて取り付けたダンパー本体の動作説明図である。
【図６】この発明の一実施例である緩衝器取付具を用いて取り付けたダンパー本体の動作説明図である。
【図７】この発明の他の実施例である緩衝器取付具のスライド部材に設けられている緩衝器係止突起部分を示すためにスライド部材を破断した部分拡大斜視図である。
【符号の説明】
【００２７】
Ａ      緩衝器取付具
１１    取付部材（一方の部材）
１２    間隔保持突条部
１３    ガイド部
１４    肉抜き凹部
１５    弾性片
１６    係止突起
１７    取付孔
１９    取付ねじ
２１    スライド部材（他方の部材）
２２    緩衝器抱持有底筒状部
２３    弾性片
２４    緩衝器係止突起
２４Ａ  緩衝器係止突起
２５    保持部
２５ｖ  起立片
２５ｈ  水平片
２６    ラチェット状歯部
３１    ダンパー本体（緩衝器）
３２    ハウジング
３３    周回溝
３４    係合段部
３５    ロッド
Ｃ      吊り戸棚
Ｂ      吊り戸棚本体（任意の部材）
ｕ      天板
Ｈ      ヒンジ部材
Ｄ      扉（移動体）
【図１】
2006090491.tif 000003
【図２】
2006090491.tif 000004
【図３】
2006090491.tif 000005
【図４】
2006090491.tif 000006
【図５】
2006090491.tif 000007
【図６】
2006090491.tif 000008
【図７】
2006090491.tif 000009